(57)【要約】【課題】戸の外れ止め装置において、戸の敷居との係合部を交換する際、戸を外すことなく、これを行えるようにすること。【解決手段】係合部１１の幅は敷居６の溝部６ｂの幅より大きく、係合部１１の厚みは前記敷居の溝部６ｂの幅より小さくする。また、係合部１１の幅は係合部１１が空間部６a内で細軸部１２ｂを軸として回転できるように空間部６aの幅より小さくする。また、係合部１１の高さは、係合部１１が空間部６a内で細軸部１２ｂを軸として回転できるように空間部６aの高さより小さくする。また、乗り場戸３の底部に設けられた穴部３ｂの幅は係合部１１の厚みより大きくする。係合部１１を交換する際は係合部１１とガイド部１２とを食う患部６ｂ内に落とし、係合部１１を溝部６ｂと平行となるように回転させ、係合部１１とガイド部１２とを溝部６ｂと穴部３ｂとを通して敷居６ｂ内より取り出す。【選択図】図１
2014213951.tif 000002
【特許請求の範囲】
【請求項１】
建物の壁面に設けられスライドして開閉する戸と、前記戸の下部に設けられた敷居と、前記戸の下部に設けられ前記敷居の溝との係合部を持つ戸の外れ止め装置において、
前記係合部の幅は前記敷居の溝の幅より大きく、前記係合部の厚みは前記敷居の溝の幅より小さいことを特徴とする戸の外れ止め装置。
【請求項２】
請求項１記載の戸の外れ止め装置において、前記係合部は、前記戸の稼動時は前記敷居の溝の係合壁に係合し、前記係合部の交換時は前記係合部を回転させて前記敷居の溝に平行として前記敷居の溝を経由して抜去および挿入されることを特徴とする戸の外れ止め装置。
【請求項３】
請求項１記載の戸の外れ止め装置において、前記係合部は、前記戸の底部に設けられ前記係合部の厚みよりも幅が大きい穴部を経由して抜去および挿入されることを特徴とする戸の外れ止め装置。
【発明の詳細な説明】
【技術分野】
【０００１】
本発明は、戸と敷居との係合装置に関し、特に地震などによる戸の枠の変形時における戸の外れ止めを実現する構造を備えた戸の外れ止め装置に関する。
【背景技術】
【０００２】
大規模な地震等が発生した場合、地震の振動により建物が変形し、建物の壁面に設置されたスライド式の戸の枠が変形するような状況が発生した場合において、戸の脱落を防止し、戸の開放や、エレベータの乗り場の戸においては昇降路への人や物などの転落を防止することが必要である。
【０００３】
特許文献１においては、エレベータの乗り場の戸の敷居に係合部の上部と係合して前記係合部が前記敷居の溝から浮き上がることを阻止する係合壁を有し、前記係合部が前記係合壁に係合していることにより、地震の発生や戸への人物などの衝突により変形した際に前記乗り場の戸の下部が敷居溝から外れて戸が脱落することを防止してする技術が開示されている。
【０００４】
ここで、特許文献１に示した敷居及び係合部の構造であった場合、前記係合部と戸の下部とを接続する部位に過大な力が加わる可能性があり、最悪の場合、敷居に設けた係合壁が破損したり、前記接続する部位が破断し、その結果戸が脱落する恐れがある。そこで、建物全体が変形するような事象が発生した場合においても、戸が脱落することを防止可能とする戸の外れ止め装置及び外れ止め装置を備えた戸が考案されている。
【先行技術文献】
【特許文献】
【０００５】
【特許文献１】特開２０１１−１３１９７０号公報、図１
【発明の概要】
【発明が解決しようとする課題】
【０００６】
ここで、特許文献１の図１に示した敷居及び係合部の構造であった場合、前記係合部と戸の下部とを接続する部位が敷居の溝と摺動した状態で戸が開閉を続けた場合、前記係合部の摩耗が進行し、交換する必要がある。しかしながら、前記係合部を交換する際には、エレベータの乗り場戸と外れ止め装置とを分離する必要があり、前記乗り場戸を取り外す作業が発生する。
【０００７】
本発明は、戸の敷居との係合部を交換する際、エレベータの乗り場戸を取り外さずに、これを行えるようにした戸の外れ止め装置を提供することにある。
【課題を解決するための手段】
【０００８】
上記の課題を解決するために、本発明に係る戸の外れ止め装置は、建物の壁面に設けられスライドして開閉する戸と、前記戸の下部に設けられた敷居と、前記戸の下部に設けられ前記敷居の溝部との係合部を持つ戸の外れ止め装置において、
前記係合部の幅は前記敷居の溝部の幅より大きく、前記係合部の厚みは前記敷居の溝部の幅より小さくしたことを特徴とする。
【０００９】
また、前記係合部は、前記戸の稼動時は前記敷居の溝部の係合壁に係合し、前記係合部の交換時は前記係合部を回転させて前記敷居の溝部に平行として前記敷居の溝部を経由して抜去および挿入されることを特徴とする。
【００１０】
また、前記係合部は、前記戸の底部に設けられ前記係合部の厚みよりも幅が大きい穴部を経由して抜去および挿入されることを特徴とする
【発明の効果】
【００１１】
上記構成とすることにより、戸の外れ止め装置の保守に当たって係合部を交換する場合においてもエレベータの乗り場戸を取り外さずに係合部を交換することが可能である。
【図面の簡単な説明】
【００１２】
【図１】本発明に係る戸の外れ止め装置と戸と敷居との構造を示す側面図である。
【図２】本発明に係る戸の外れ止め装置の係合部を示す斜視図である。
【図３】本発明に係る戸の外れ止め装置の係合部と敷居と戸の穴部との関係を示す斜視図である。
【図４】本発明に係る戸の外れ止め装置の係合部の通常時の状態を示す側面図である。
【図５】本発明に係る戸の外れ止め装置の係合部の交換時の１手順を示す図である。
【図６】本発明に係る戸の外れ止め装置の係合部の回転時の状態を示す図である。
【図７】本発明に係る戸の外れ止め装置の係合部の抜去時の状態を示す図である。
【発明を実施するための形態】
【００１３】
以下、本発明をエレベータの戸に適用した一実施形態を図１〜図７に基づいて説明する。
【００１４】
図１は本発明に係る戸の外れ止め装置１０の構成を示す側面図であり、この図１に示すように、乗り場の床１上に出入口を形成する三方枠２を設け、この三方枠２に裏面に空洞部３ａを有し開閉可能な例えば両開きの乗り場戸３を設ける。敷居６は昇降路壁４に打設された敷居固定ブラケット５上に固設されており、乗り場戸３は敷居６に案内されて敷居６の延設方向に沿って移動可能としている。ここで、乗り場戸３が敷居６から外れることを防止する乗り場戸３の外れ止め装置１０は乗り場戸３の下方部分に設けられている。
【００１５】
図２は戸の外れ止め装置１０の係合部１１とガイド部１２と細軸部１２ｂとねじ部１２ｃの外観を示す斜視図である。係合部１１の幅Ｌ１は図３の敷居６の溝部６ｂの幅Ｇ２より大きく、係合部１１の厚みＬ２は前記敷居の溝部６ｂの幅Ｇ２より小さくしている。また、係合部１１の幅Ｌ１は係合部１１が空間部６a内で細軸部１２ｂを軸として回転できるように空間部６aの幅Ｇ1より小さくしている。また、係合部１１の高さＬ３は、係合部１１が空間部６a内で細軸部１２ｂを軸として回転できるように空間部６aの高さＧ３より小さくしている。
【００１６】
外れ止め装置１０の係合部１１は、敷居６の内部に形成される空間部６ａに収納されており、係合部１１とガイド部１２とは乗り場戸３の移動都と共に敷居６の延設方向に沿って移動する。
【００１７】
外れ止め装置１０は、係合部１１より上方に設けられ、敷居６の係合壁７の間に設けられる溝部６ｂと乗り場戸３の底部３ｂに設けた穴部３ｂに挿入されるガイド部１２と、乗り場戸３の底部に設けられ、ガイド軸１２を保持する保持手段（ガイド軸ブラケット１４、ばね１５、ワッシャ１６、ナット１７）とを有している。ガイド軸ブラケット１４は概コの字型の部材であり、その上側部分及び下側部分のそれぞれにガイド部１２上の細軸部１２ｂが挿通する穴を有しており、ガイド軸ブラケット１４の底部は、乗り場戸３の底部に設けられた穴部３ｂを跨ぐように設置されている。ここで、穴部３ｂの幅は係合部１１の厚みＬ２より大きくしているため、ガイド部１２の上面は、ガイド軸ブラケット１４の底面１８に接するようになっている。
【００１８】
ばね１５は、ガイド軸１２の細軸部１２ｂに装着され、下端がガイド軸ブラケット１４に係着されている。ばね１５の上端は細軸部１２ｂに挿入されて取り付けられるワッシャ１６の下部に係着されており、このワッシャ１６は細軸部１２ｂのねじ部１２ｃに螺合するナット１７によりばね１５を圧縮した状態で細軸部１２ｂに装着されている。
【００１９】
ここで、三方枠２の変形などにより乗り場戸３が引き上げられた際には、係合部１１は敷居６の上部に形成された係合壁７に係合して係合部１１が溝部６ｂより抜けることを防止する。さらに引き上げられた場合は、バネ１５が圧縮されることにより、細軸部１２ｂの破断や破損を防止することができる
次に、外れ止め装置１０の係合部１１やガイド部１２が長期間の乗り場戸３の稼動などにより磨耗し、係合部１１を交換する際の手順について図３〜図７を使用して説明する。
【００２０】
まず、作業員は乗り場戸３の裏面に対して作業可能な位置に移動し、ナット１７を緩めてネジ部１２ｃよりナットを取り外し、ついでワッシャ１６、ばね１５、ガイド軸ブラケット１４を取り外す。この時点での状態を図３および図４に示す。
【００２１】
次に、保守員は細軸部１２ｂを持ち係合部１１やガイド部１２を下方に移動させ空間部６ａ内に落とす。この状態を図５に示す。ここで、係合部１１の幅Ｌ１は係合部１１が空間部６a内で細軸部１２ｂを軸として回転できるように空間部６aの幅Ｇ1より小さくしており、係合部１１の高さＬ３は、係合部１１が空間部６a内で細軸部１２ｂを軸として回転できるように空間部６aの高さＧ３より小さくしているため、保守員は細軸部１２ｂ回転させ、係合部１１の長辺が溝部６ｂと平行になるようにできる。この状態を図６に示す。
【００２２】
次に、保守員は細軸部１２ｂを持ち係合部１１やガイド部１２を上方に引き上げる。係合部１１の厚みＬ２は前記敷居の溝部６ｂの幅Ｇ２より小さくしており、穴部３ｂの幅は係合部１１の厚みＬ２より大きくしているため、係合部１１やガイド部１２は溝部６ｂと穴部３ｂとを通して乗り場戸３の底部より上方に引き出すことが可能となる。
【００２３】
交換後の係合部１１やガイド部１２を設置するためには、保守員は上記手順を逆に実施することにより外れ止め装置１０を再設置することが可能となる。
【００２４】
よって、本発明により、戸の外れ止め装置の保守に当たって係合部を交換する場合においてもエレベータの乗り場戸を取り外さずに係合部を交換することが可能である。
【符号の説明】
【００２５】
１      床
２      三方枠
３      乗り場戸
３ａ    空洞部
３ｂ    穴部
４      昇降路壁
５      ガイド軸ブラケット
６      敷居
６ａ    空間部
６ｂ    溝部
７      係合壁
１０    外れ止め装置
１１    係合部
１２    ガイド部
１２ｂ  細軸部
１２ｃ  ねじ部
１４    敷居固定ブラケット
１５    ばね（弾性体）
１６    ワッシャ
１７    ナット
１８    ブラケット底部
【図１】
2014213951.tif 000003
【図２】
2014213951.tif 000004
【図３】
2014213951.tif 000005
【図４】
2014213951.tif 000006
【図５】
2014213951.tif 000007
【図６】
2014213951.tif 000008
【図７】
2014213951.tif 000009